(57)【特許請求の範囲】
【請求項１】
回線交換通信をサポートしていない第１無線アクセスネットワーク（Ｅ−ＵＴＲＡＮ）と、回線交換通信をサポートしている第２無線アクセスネットワーク（ＵＴＲＡＮ／ＧＥＲＡＮ）と、移動局と、前記移動局と前記移動局の通信相手との間の音声通信用の経路を、前記移動局の在圏ネットワーク内で前記Ｅ−ＵＴＲＡＮを介した経路から前記ＵＴＲＡＮ／ＧＥＲＡＮを介した経路に切り替えるゲートウェイとを含む単一無線音声呼接続方式（ＳＲＶＣＣ）用移動通信システムにおける移動通信方法であって、
前記移動局が、前記在圏ネットワーク内の制御ノードに対して、ＩＮＶＩＴＥ信号を送信する工程と、
前記制御ノードが、前記移動局のＳＲＶＣＣ能力に基づき、前記経路を前記ゲートウェイで切り替えるか否かを決定する工程と
を有することを特徴とする移動通信方法。
【請求項２】
回線交換通信をサポートしていない第１無線アクセスネットワーク（Ｅ−ＵＴＲＡＮ）と、回線交換通信をサポートしている第２無線アクセスネットワーク（ＵＴＲＡＮ／ＧＥＲＡＮ）と、移動局と、前記移動局と前記移動局の通信相手との間の音声通信用の経路を、前記移動局の在圏ネットワーク内で前記Ｅ−ＵＴＲＡＮを介した経路から前記ＵＴＲＡＮ／ＧＥＲＡＮを介した経路に切り替えるゲートウェイとを含む単一無線音声呼接続方式（ＳＲＶＣＣ）用移動通信システムであって、
前記移動局が、前記在圏ネットワーク内の制御ノードに対して、ＩＮＶＩＴＥ信号を送信し、
前記制御ノードが、前記移動局のＳＲＶＣＣ能力に基づき、前記経路を前記ゲートウェイで切り替えるか否かを決定する
ことを特徴とする移動通信システム。
【請求項３】
回線交換通信をサポートしていない第１無線アクセスネットワーク（Ｅ−ＵＴＲＡＮ）と、回線交換通信をサポートしている第２無線アクセスネットワーク（ＵＴＲＡＮ／ＧＥＲＡＮ）と、移動局と、前記移動局と前記移動局の通信相手との間の音声通信用の経路を、前記移動局の在圏ネットワーク内で前記Ｅ−ＵＴＲＡＮを介した経路から前記ＵＴＲＡＮ／ＧＥＲＡＮを介した経路に切り替えるゲートウェイとを含む単一無線音声呼接続方式（ＳＲＶＣＣ）用移動通信システムにおける移動局の通信方法であって、
前記在圏ネットワーク内の制御ノードに対して、ＩＮＶＩＴＥ信号を送信する工程と、
前記移動局のＳＲＶＣＣ能力に基づき、前記制御ノードに、前記経路を前記ゲートウェイで切り替えるか否かを決定させる工程と
を有することを特徴とする移動局の通信方法。
【請求項４】
回線交換通信をサポートしていない第１無線アクセスネットワーク（Ｅ−ＵＴＲＡＮ）と、回線交換通信をサポートしている第２無線アクセスネットワーク（ＵＴＲＡＮ／ＧＥＲＡＮ）と、移動局と、前記移動局と前記移動局の通信相手との間の音声通信用の経路を、前記移動局の在圏ネットワーク内で前記Ｅ−ＵＴＲＡＮを介した経路から前記ＵＴＲＡＮ／ＧＥＲＡＮを介した経路に切り替えるゲートウェイとを含む単一無線音声呼接続方式（ＳＲＶＣＣ）用移動通信システムにおける移動局であって、
前記在圏ネットワーク内の制御ノードに対して、ＩＮＶＩＴＥ信号を送信し、
前記移動局のＳＲＶＣＣ能力に基づき、前記制御ノードに、前記経路を前記ゲートウェイで切り替えるか否かを決定させる
ことを特徴とする移動局。
【請求項５】
回線交換通信をサポートしていない第１無線アクセスネットワーク（Ｅ−ＵＴＲＡＮ）と、回線交換通信をサポートしている第２無線アクセスネットワーク（ＵＴＲＡＮ／ＧＥＲＡＮ）と、移動局と、前記移動局と前記移動局の通信相手との間の音声通信用の経路を、前記移動局の在圏ネットワーク内で前記Ｅ−ＵＴＲＡＮを介した経路から前記ＵＴＲＡＮ／ＧＥＲＡＮを介した経路に切り替えるゲートウェイとを含む単一無線音声呼接続方式（ＳＲＶＣＣ）用移動通信システムにおける前記移動局の在圏ネットワーク内の制御ノードの制御方法であって、
前記移動局から、ＩＮＶＩＴＥ信号を受信する工程と、
前記移動局のＳＲＶＣＣ能力に基づき、前記経路を前記ゲートウェイで切り替えるか否かを決定する工程と
を有することを特徴とする制御ノードの制御方法。
【請求項６】
回線交換通信をサポートしていない第１無線アクセスネットワーク（Ｅ−ＵＴＲＡＮ）と、回線交換通信をサポートしている第２無線アクセスネットワーク（ＵＴＲＡＮ／ＧＥＲＡＮ）と、移動局と、前記移動局と前記移動局の通信相手との間の音声通信用の経路を、前記移動局の在圏ネットワーク内で前記Ｅ−ＵＴＲＡＮを介した経路から前記ＵＴＲＡＮ／ＧＥＲＡＮを介した経路に切り替えるゲートウェイとを含む単一無線音声呼接続方式（ＳＲＶＣＣ）用移動通信システムにおける前記移動局の在圏ネットワーク内の制御ノードであって、
前記移動局から、ＩＮＶＩＴＥ信号を受信し、
前記移動局のＳＲＶＣＣ能力に基づき、前記経路を前記ゲートウェイで切り替えるか否かを決定する
ことを特徴とする制御ノード。
【発明の詳細な説明】
【技術分野】
【０００１】
本発明は、移動通信方法及び移動通信システムに関する。
【背景技術】
【０００２】
従来、２Ｇ/３Ｇ方式の無線アクセスネットワーク（ＵＴＲＡＮ：Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ、或いは、ＧＥＲＡＮ：ＧＳＭ  ＥＤＧＥ  Ｒａｄｉｏ  Ａｃｃｅｓｓ  Ｎｅｔｗｏｒｋ）、及び、ＬＴＥ（Ｌｏｎｇ  Ｔｅｒｍ  Ｅｖｏｌｕｔｉｏｎ）方式の無線アクセスネットワーク（Ｅ-ＵＴＲＡＮ：Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）を収容可能な移動通信システムが知られている。
【０００３】
３ＧＰＰ  ＴＳ２３.２１６において、ＵＥ（Ｕｓｅｒ  Ｅｑｕｉｐｍｅｎｔ）＃１とＵＥ＃２との間の音声通信用の経路を、Ｅ-ＵＴＲＡＮ或いはＵＴＲＡＮを介した経路（ＶｏＩＰ（Ｖｏｉｃｅ  ｏｖｅｒ  ＩＰ）通信用の経路）からＵＴＲＡＮ/ＧＥＲＡＮを介した経路（回線交換（ＣＳ：Ｃｉｒｃｕｉｔ  Ｓｗｉｔｃｈ）通信用の経路）に切り替える「ＳＲＶＣＣ（Ｓｉｎｇｌｅ  Ｒａｄｉｏ  Ｖｏｉｃｅ  Ｃａｌｌ  Ｃｏｎｔｉｎｕｉｔｙ）方式」について規定されている（非特許文献１参照）。
【０００４】
また、３ＧＰＰ  ＴＲ２３.８５６  ｖ０.４.１のＡｌｔ.４やＡｌｔ.１１等において、ＵＥ＃１の在圏ネットワーク内のＭＧＷ（Ｍｅｄｉａ  Ｇａｔｅｗａｙ）＃１をアンカーポイントとして、ＵＥ＃１とＵＥ＃２との間の音声通信用の経路を、Ｅ-ＵＴＲＡＮを介した経路からＵＴＲＡＮ/ＧＥＲＡＮを介した経路に切り替えるＳＲＶＣＣ方式（以下、ＳＲＶＣＣ改善方式と呼ぶ）が規定されている（非特許文献２参照）。
【０００５】
かかるＳＲＶＣＣ改善方式によれば、ＵＥ＃１とＵＥ＃２との間の音声通信用の経路を切り替えるために必要な信号を、ＵＥ＃１の在圏ネットワーク内で終端することができ、従来のＳＲＶＣＣ方式と比べて、かかる信号のＵＥ＃１の在圏ネットワークとＵＥ＃１のホームネットワークとの間の往復に起因する通信瞬断時間を短縮することができる。
【０００６】
以下、図７を参照して、ＵＥ＃１とＵＥ＃２との間の音声通信用の経路を設定する手順について説明する。
【０００７】
図７に示すように、ステップ１において、ＵＥ＃１は、Ｐ-ＣＳＣＦ（Ｐｒｏｘｙ-Ｃａｌｌ  Ｓｅｓｓｉｏｎ  Ｃｏｎｔｒｏｌ  Ｆｕｎｃｔｉｏｎ）/ＶＡＴＦ（Ｖｉｓｉｔｅｄ  Ａｃｃｅｓｓ  Ｔｒａｎｓｆｅｒ  Ｆｕｎｃｔｉｏｎ）に対して、「ＩＮＶＩＴＥ」を送信する。
【０００８】
ステップ２において、Ｐ-ＣＳＣＦ/ＶＡＴＦは、かかる経路に対して、ＭＧＷ＃１を割り当てる。
【０００９】
さらに、Ｐ-ＣＳＣＦ/ＶＡＴＦは、Ｉ/Ｓ-ＣＳＣＦ（Ｉｎｔｅｒｏｇａｔｉｏｎ/Ｓｅｒｖｉｎｇ-Ｃａｌｌ  Ｓｅｓｓｉｏｎ  Ｃｏｎｔｒｏｌ  Ｆｕｎｃｔｉｏｎ）に対して、ＭＧＷ＃１の識別情報、及び、ＳＲＶＣＣ改善方式を用いることができることを示す「ｅＳＲＶＣＣ」を含む「ＩＮＶＩＴＥ」を送信する。
【００１０】
ステップ３において、Ｉ/Ｓ-ＣＳＣＦは、ＳＣＣ  ＡＳ（Ｓｅｒｖｉｃｅ  Ｃｅｎｔｒａｌｉｚａｔｉｏｎ  ａｎｄ  Ｃｏｎｔｉｎｕｉｔｙ  Ａｐｐｌｉｃａｔｉｏｎ  Ｓｅｒｖｅｒ）に対して、「ｅＳＲＶＣＣ」を含む「ＩＮＶＩＴＥ」を送信する。
【００１１】
ステップ４において、ＳＣＣ  ＡＳは、Ｉ/Ｓ-ＣＳＣＦに対して、「ＩＮＶＩＴＥ」を送信し、ステップ５において、Ｉ/Ｓ-ＣＳＣＦは、ＵＥ＃２に対して、「ＩＮＶＩＴＥ」を送信する。
【００１２】
ステップ６において、ＵＥ＃２は、Ｉ/Ｓ-ＣＳＣＦに対して、「２００  ＯＫ（「ＩＮＶＩＴＥ」に対する応答信号）」を送信し、ステップ７において、Ｉ/Ｓ-ＣＳＣＦは、ＳＣＣ  ＡＳに対して、「２００  ＯＫ」を送信し、ステップ８において、ＳＣＣ  ＡＳは、Ｉ/Ｓ-ＣＳＣＦに対して、「２００  ＯＫ」を送信し、ステップ９において、Ｉ/Ｓ-ＣＳＣＦは、Ｐ-ＣＳＣＦ/ＶＡＴＦに対して、「２００  ＯＫ」を送信し、ステップ１０において、Ｐ-ＣＳＣＦ/ＶＡＴＦは、ＵＥ＃１に対して、「２００  ＯＫ」を送信する。
【００１３】
この結果、ＵＥ＃１とＵＥ＃２との間の音声通信用のシグナリング経路が、ＵＥ＃１とＰ-ＣＳＣＦ/ＶＡＴＦとＩ/Ｓ-ＣＳＣＦとＵＥ＃２との間で設定され、ＵＥ＃１とＵＥ＃２との間の音声通信用のメディア信号経路が、ＵＥ＃１とＭＧＷ＃１とＵＥ＃２との間で設定される。
【先行技術文献】
【非特許文献】
【００１４】
【非特許文献１】３ＧＰＰ  ＴＳ２３.２１６
【非特許文献２】３ＧＰＰ  ＴＲ２３.８５６  ｖ０.４.１
【発明の概要】
【発明が解決しようとする課題】
【００１５】
しかしながら、図３に示す手順では、ＵＥ＃１がＳＲＶＣＣ方式に対応していない場合等、ＳＲＶＣＣ改善方式を用いることができない場合に対しても、ＭＧＷ＃１が割り当てられてしまうため、ＭＧＷ＃１のリソースを無駄に消費してしまうという問題点があった。
【００１６】
そこで、本発明は、上述の課題に鑑みてなされたものであり、ＭＧＷ＃１のリソースの浪費を防ぐことができる移動通信方法及び移動通信システムを提供することを目的とする。
【課題を解決するための手段】
【００１７】
本発明の第１の特徴は、回線交換通信をサポートしていない第１無線アクセスネットワークと、回線交換通信をサポートしている第２無線アクセスネットワークとを具備しており、第１移動局の在圏ネットワーク内の所定ノードにおいて、該第１移動局と第２移動局との間の音声通信用の経路を、前記第１無線アクセスネットワークを介した経路から前記第２無線アクセスネットワークを介した経路に切り替える切替方式を用いることができる移動通信システムにおける移動通信方法であって、前記第１移動局が、前記在圏ネットワーク内の第１セッション制御ノードに対して、該第１移動局の能力を含むセッション開始要求信号を送信する工程と、前記第１セッション制御ノードが、サービス制御ネットワークに対して、前記第１移動局の能力を含むセッション開始要求信号を送信する工程と、前記サービス制御ネットワークが、前記第１移動局の能力に基づいて、前記所定ノードの割り当て要求信号を送信するか否かについて決定する工程と、
前記第１セッション制御ノードが、前記サービス制御ネットワークから受信した前記割り当て要求信号に基づいて、前記所定ノードを割り当てる工程とを有することを要旨とする。
【００１８】
本発明の第２の特徴は、回線交換通信をサポートしていない第１無線アクセスネットワークと、回線交換通信をサポートしている第２無線アクセスネットワークとを具備しており、第１移動局の在圏ネットワーク内の所定ノードにおいて、該第１移動局と第２移動局との間の音声通信用の経路を、前記第１無線アクセスネットワークを介した経路から前記第２無線アクセスネットワークを介した経路に切り替える切替方式を用いることができる移動通信システムにおける移動通信方法であって、前記第１移動局が、サービス制御ネットワークに対する登録手順において、前記在圏ネットワーク内の第１セッション制御ノードに対して、該第１移動局の能力を通知する工程と、前記第１移動局が、前記第１セッション制御ノードに対して、セッション開始要求信号を送信する工程と、前記第１セッション制御ノードが、前記第１移動局の能力に基づいて、前記所定ノードを割り当てるか否かについて決定する工程とを有することを要旨とする。
【００１９】
本発明の第３の特徴は、回線交換通信をサポートしていない第１無線アクセスネットワークと、回線交換通信をサポートしている第２無線アクセスネットワークとを具備しており、第１移動局の在圏ネットワーク内の所定ノードにおいて、該第１移動局と第２移動局との間の音声通信用の経路を、前記第１無線アクセスネットワークを介した経路から前記第２無線アクセスネットワークを介した経路に切り替える切替方式を用いることができる移動通信システムにおける移動通信方法であって、前記第１移動局が、サービス制御ネットワークに対する登録手順において、サービス制御ネットワークに対して、該第１移動局の能力を通知する工程と、前記第１移動局が、前記第１セッション制御ノードに対して、セッション開始要求信号を送信する工程と、前記第１セッション制御ノードが、前記サービス制御ネットワークに対して、セッション開始要求信号を送信する工程と、前記サービス制御ネットワークが、前記第１移動局の能力に基づいて、前記所定ノードの割り当て要求信号を送信するか否かについて決定する工程と、前記第１セッション制御ノードが、前記サービス制御ネットワークから受信した前記割り当て要求信号に基づいて、前記所定ノードを割り当てる工程とを有することを要旨とする。
【００２０】
本発明の第４の特徴は、回線交換通信をサポートしていない第１無線アクセスネットワークと、回線交換通信をサポートしている第２無線アクセスネットワークとを具備しており、第１移動局の在圏ネットワーク内の所定ノードにおいて、該第１移動局と第２移動局との間の音声通信用の経路を、前記第１無線アクセスネットワークを介した経路から前記第２無線アクセスネットワークを介した経路に切り替える切替方式を用いることができる移動通信システムであって、前記在圏ネットワーク内の第１セッション制御ノードは、前記第１移動局から、該第１移動局の能力を含むセッション開始要求信号を受信した場合、サービス制御ネットワークに対して、該第１移動局の能力を含むセッション開始要求信号を送信するように構成されており、前記サービス制御ネットワークは、前記第１移動局の能力に基づいて、前記所定ノードの割り当て要求信号を送信するか否かについて決定するように構成されており、前記第１セッション制御ノードは、前記サービス制御ネットワークから受信した前記割り当て要求信号に基づいて、前記所定ノードを割り当てるように構成されていることを要旨とする。
【００２１】
本発明の第５の特徴は、回線交換通信をサポートしていない第１無線アクセスネットワークと、回線交換通信をサポートしている第２無線アクセスネットワークとを具備しており、第１移動局の在圏ネットワーク内の所定ノードにおいて、該第１移動局と第２移動局との間の音声通信用の経路を、前記第１無線アクセスネットワークを介した経路から前記第２無線アクセスネットワークを介した経路に切り替える切替方式を用いることができる移動通信システムであって、前記在圏ネットワーク内の第１セッション制御ノードは、前記第１移動局のサービス制御ネットワークに対する登録手順において、該第１移動局の能力を取得して保存するように構成されており、前記第１セッション制御ノードは、前記第１移動局からセッション開始要求信号を受信した場合、前記第１移動局の能力に基づいて、前記所定ノードを割り当てるか否かについて決定するように構成されていることを要旨とする。
【００２２】
本発明の第６の特徴は、回線交換通信をサポートしていない第１無線アクセスネットワークと、回線交換通信をサポートしている第２無線アクセスネットワークとを具備しており、第１移動局の在圏ネットワーク内の所定ノードにおいて、該第１移動局と第２移動局との間の音声通信用の経路を、前記第１無線アクセスネットワークを介した経路から前記第２無線アクセスネットワークを介した経路に切り替える切替方式を用いることができる移動通信システムであって、サービス制御ネットワークは、前記第１移動局の該サービス制御ネットワークに対する登録手順において、該第１移動局の能力を取得して保存するように構成されており、前記サービス制御ネットワークは、前記第１移動局によって送信されたセッション開始要求信号を受信した場合、前記第１移動局の能力に基づいて、前記所定ノードの割り当て要求信号を送信するか否かについて決定するように構成されており、前記第１セッション制御ノードは、前記サービス制御ネットワークから受信した前記割り当て要求信号に基づいて、前記所定ノードを割り当てるように構成されていることを要旨とする。
【発明の効果】
【００２３】
以上説明したように、本発明によれば、ＭＧＷ＃１のリソースの浪費を防ぐことができる移動通信方法及び移動通信システムを提供することができる。
【図面の簡単な説明】
【００２４】
【図１】本発明の第１の実施形態に係る移動通信システムの全体構成図である。
【図２】本発明の第１の実施形態に係る移動通信システムの動作について説明するシーケンス図である。
【図３】本発明の変更例１に係る移動通信システムの動作について説明するシーケンス図である。
【図４】本発明の変更例１に係る移動通信システムの動作について説明するシーケンス図である。
【図５】本発明の変更例２に係る移動通信システムの動作について説明するシーケンス図である。
【図６】本発明の変更例２に係る移動通信システムの動作について説明するシーケンス図である。
【図７】従来の移動通信システムの動作について説明するシーケンス図である。
【発明を実施するための形態】
【００２５】
（本発明の第１の実施形態に係る移動通信システム）
図１及び図２を参照して、本発明の第１の実施形態に係る移動通信システムについて説明する。
【００２６】
本実施形態に係る移動通信システムには、Ｅ-ＵＴＲＡＮと、ＵＴＲＡＮ/ＧＥＲＡＮとが収容されている。
【００２７】
具体的には、図１に示すように、本実施形態に係る移動通信システムは、ＵＥ＃１の在圏ネットワークにおいて、ｅＮＢ（無線基地局）や、ＲＮＣ（Ｒａｄｉｏ  Ｎｅｔｗｏｒｋ  Ｃｏｎｔｒｏｌｌｅｒ、無線回線制御局）や、ＮｏｄｅＢ（無線基地局）や、ＢＳＳ（不図示）や、ＭＭＥ（Ｍｏｂｉｌｉｔｙ  Ｍａｎａｇｅｍｅｎｔ  Ｅｎｔｉｔｙ、移動管理ノード）や、Ｓ-ＧＷ（Ｓｅｒｖｉｎｇ-Ｇａｔｅｗａｙ、サービングゲートウェイ装置）や、Ｐ-ＧＷ（ＰＤＮ-Ｇａｔｅｗａｙ、ＰＤＮゲートウェイ装置）や、ＤＨＣＰ（Ｄｙｎａｍｉｃ  Ｈｏｓｔ  Ｃｏｎｆｉｇｕｒａｔｉｏｎ  Ｐｒｏｔｏｃｏｌ）サーバや、Ｐ-ＣＳＣＦ/ＶＡＴＦや、ＭＧＷ＃１や、ＭＳＣ（Ｍｏｂｉｌｅ-ｓｅｒｖｉｃｅ  Ｓｗｉｔｃｈｉｎｇ  Ｃｅｎｔｅｒ、回線交換機）や、ＳＧＳＮ（Ｓｅｒｖｉｎｇ  ＧＰＲＳ  Ｓｕｐｐｏｒｔ  Ｎｏｄｅ、パケット交換機）や、ＭＳＣサーバや、ＭＧＷ＃２等を具備している。
【００２８】
ここで、Ｐ-ＣＳＣＦ及びＶＡＴＦは、同一の装置に設けられていてもよいし、別個の装置に設けられていてもよい。また、ＶＡＴＦは、例えば、Ｐ-ＧＷや、Ｓ-ＧＷや、ＩＢＣＦ（ＴＳ２３.２２８に記載のＩｎｔｅｒｃｏｎｎｅｃｔｉｏｎ  Ｂｏｒｄｅｒ  Ｃｏｎｔｒｏｌ  Ｆｕｎｃｔｉｏｎ、不図示）といった装置に設けられていてもよい。
【００２９】
また、本実施形態に係る移動通信システムは、ＵＥ＃１のホームネットワークにおいて、ＳＣＣ  ＡＳや、Ｉ/Ｓ-ＣＳＣＦ等を具備している。
【００３０】
ここで、本実施形態に係る移動通信システムでは、ＳＲＶＣＣ方式やＳＲＶＣＣ改善方式によって、ＵＥ＃１とＵＥ＃２との間の音声通信用の経路を、Ｅ-ＵＴＲＡＮ或いはＵＴＲＡＮを介した経路（ＩＭＳ  ＶｏＩＰ通信用の経路）からＵＴＲＡＮ/ＧＥＲＡＮを介した経路（回線交換通信用の経路）に切り替えることができる。
【００３１】
以下、図２を参照して、ＵＥ＃１とＵＥ＃２との間の音声通信用の経路を設定する手順について説明する。
【００３２】
図２に示すように、ステップＳ１００１において、ＵＥ＃１は、Ｐ-ＣＳＣＦ/ＶＡＴＦに対して、ＵＥ＃１がＳＲＶＣＣ方式に対応しているかについて示すＳＲＶＣＣ能力を含む「ＩＮＶＩＴＥ」を送信する。
【００３３】
ステップＳ１００２において、Ｐ-ＣＳＣＦ/ＶＡＴＦは、ＩＭＳ（ＩＰ  Ｍｕｌｔｉｍｅｄｉａ  Ｓｕｂｓｙｓｔｅｍ）内のＩ/Ｓ-ＣＳＣＦに対して、ＳＲＶＣＣ改善方式を用いることができることを示す「ｅＳＲＶＣＣ」及びＳＲＶＣＣ能力を含む「ＩＮＶＩＴＥ」を送信する。
【００３４】
Ｉ/Ｓ-ＣＳＣＦは、ステップＳ１００３において、ＨＳＳ（Ｈｏｍｅ  Ｓｕｂｓｃｒｉｂｅｒ  Ｓｅｒｖｅｒ）によって管理されているＵＥ＃１の加入者プロファイルや、受信した「ＩＮＶＩＴＥ」に含まれているＳＲＶＣＣ能力や、ＵＥ＃１のホームネットワークや在圏ネットワークのポリシー等によって、ＳＲＶＣＣ改善方式を用いるべきか否かについて判定し、ステップＳ１００４において、ＩＭＳ内のＳＣＣ  ＡＳに対して、かかる判定結果を示す「ｅＳＲＶＣＣ」を含む「ＩＮＶＩＴＥ」を送信する。
【００３５】
ステップＳ１００５において、ＳＣＣ  ＡＳは、Ｉ/Ｓ-ＣＳＣＦに対して、ＭＧＷ＃１の割り当て要求信号を含む「ＩＮＶＩＴＥ」を送信する。なお、本信号において、ＭＧＷ＃１の割り当て要求信号が含まれなくてもよい。
【００３６】
ステップＳ１００６において、Ｉ/Ｓ-ＣＳＣＦは、Ｐ-ＣＳＣＦ/ＶＡＴＦに対して、かかる割り当て要求信号を含む「ＩＮＶＩＴＥ」を送信する。
【００３７】
Ｐ-ＣＳＣＦ/ＶＡＴＦは、ステップＳ１００７において、割り当て要求信号に基づいて、ＭＧＷ＃１を割り当て、ステップＳ１００８において、Ｉ/Ｓ-ＣＳＣＦに対して、「ＩＮＶＩＴＥ」を送信する。
【００３８】
ステップＳ１００９において、Ｉ/Ｓ-ＣＳＣＦは、ＵＥ＃２に対して、「ＩＮＶＩＴＥ」を送信し、ステップＳ１０１０において、ＵＥ＃２は、Ｉ/Ｓ-ＣＳＣＦに対して、「２００  ＯＫ（「ＩＮＶＩＴＥ」に対する応答信号）」を送信する。
【００３９】
ステップＳ１０１１において、Ｉ/Ｓ-ＣＳＣＦは、ＳＣＣ  ＡＳに対して、「２００  ＯＫ」を送信し、ステップＳ１０１２において、ＳＣＣ  ＡＳは、Ｉ/Ｓ-ＣＳＣＦに対して、「２００  ＯＫ」を送信し、ステップＳ１０１３において、Ｉ/Ｓ-ＣＳＣＦは、Ｐ-ＣＳＣＦ/ＶＡＴＦに対して、「２００  ＯＫ」を送信し、ステップＳ１０１４において、Ｐ-ＣＳＣＦ/ＶＡＴＦは、ＵＥ＃１に対して、「２００  ＯＫ」を送信する。
【００４０】
この結果、ＵＥ＃１とＵＥ＃２との間の音声通信用のシグナリング経路が、ＵＥ＃１とＰ-ＣＳＣＦ/ＶＡＴＦとＵＥ＃２との間で設定され、ＵＥ＃１とＵＥ＃２との間の音声通信用のメディア信号経路が、ＵＥ＃１とＭＧＷ＃１とＵＥ＃２との間で設定される。
【００４１】
本実施形態に係る移動通信システムによれば、ＵＥ＃１とＵＥ＃２との間の音声通信用の経路のうち、ＳＲＶＣＣ改善方式を用いることができない経路に対しては、ＭＧＷ＃１を割り当てないようにすることができるため、ＭＧＷ＃１のリソースの浪費を防止することができる。
【００４２】
（変形例１）
以下、図３及び図４を参照して、上述の第１の実施形態の変更例１に係る移動通信システムについて、上述の第１の実施形態に係る移動通信システムとの相違点に着目して説明する。
【００４３】
第１に、図３を参照して、本変更例１に係る移動通信システムにおいて、ＵＥ＃１のＩＭＳ  Ｒｅｇｉｓｔｒａｔｉｏｎ手順について説明する。
【００４４】
図３に示すように、ステップＳ３００１において、ＵＥ＃１が、Ｐ-ＣＳＣＦ/ＶＡＴＦに対して、ＵＥ＃１がＳＲＶＣＣ方式に対応しているかについて示すＳＲＶＣＣ能力を含むＩＭＳ  Ｒｅｇｉｓｔｒａｔｉｏｎ要求信号を送信する。
【００４５】
Ｐ-ＣＳＣＦ/ＶＡＴＦは、ステップＳ３００２において、かかるＳＲＶＣＣ能力を保存し、ステップＳ３００３において、Ｉ/Ｓ-ＣＳＣＦに対して、かかるＳＲＶＣＣ能力を含むＩＭＳ  Ｒｅｇｉｓｔｒａｔｉｏｎ要求信号を送信する。
【００４６】
ステップＳ３００４において、Ｉ/Ｓ-ＣＳＣＦは、ＳＣＣ  ＡＳに対して、かかるＳＲＶＣＣ能力を含むＩＭＳ  Ｒｅｇｉｓｔｒａｔｉｏｎ要求信号を送信し、ステップＳ３００５において、ＳＣＣ  ＡＳが、Ｉ/Ｓ-ＣＳＣＦに対して、ＩＭＳ  Ｒｅｇｉｓｔｒａｔｉｏｎ応答信号を送信する。
【００４７】
ステップＳ３００６において、Ｉ/Ｓ-ＣＳＣＦが、Ｐ-ＣＳＣＦ/ＶＡＴＦに対して、ＩＭＳ  Ｒｅｇｉｓｔｒａｔｉｏｎ応答信号を送信し、ステップＳ３００７において、Ｐ-ＣＳＣＦ/ＶＡＴＦが、ＵＥ＃１に対して、ＩＭＳ  Ｒｅｇｉｓｔｒａｔｉｏｎ応答信号を送信する。
【００４８】
第２に、図４を参照して、ＵＥ＃１とＵＥ＃２との間の音声通信用の経路を設定する手順について説明する。
【００４９】
図４に示すように、ステップＳ４００１において、ＵＥ＃１は、Ｐ-ＣＳＣＦ/ＶＡＴＦに対して、「ＩＮＶＩＴＥ」を送信する。
【００５０】
ステップＳ４００２において、Ｐ-ＣＳＣＦ/ＶＡＴＦは、ステップＳ３００２において保存したＳＲＶＣＣ能力に基づいて、ＭＧＷ＃１を割り当てる。
【００５１】
例えば、Ｐ-ＣＳＣＦ/ＶＡＴＦは、ＳＲＶＣＣ能力が、ＵＥ＃１がＳＲＶＣＣ方式に対応していることを示す場合、ＭＧＷ＃１を割り当てるように構成されていてもよい。
【００５２】
ステップＳ４００２において、Ｐ-ＣＳＣＦ/ＶＡＴＦは、Ｉ/Ｓ-ＣＳＣＦに対して、「ｅＳＲＶＣＣ」を含む「ＩＮＶＩＴＥ」を送信する。
【００５３】
ステップＳ４００３において、Ｉ/Ｓ-ＣＳＣＦは、ＳＣＣ  ＡＳに対して、「ｅＳＲＶＣＣ」を含む「ＩＮＶＩＴＥ」を送信する。
【００５４】
ステップＳ４００５において、ＳＣＣ  ＡＳは、Ｉ/Ｓ-ＣＳＣＦに対して、「ＩＮＶＩＴＥ」を送信する。
【００５５】
以下、ステップＳ４００６乃至Ｓ４０１１の動作は、図２に示すステップＳ１００９乃至Ｓ１０１４の動作と同一である。
【００５６】
（変形例２）
以下、図５及び図６を参照して、上述の第１の実施形態の変更例２に係る移動通信システムについて、上述の第１の実施形態に係る移動通信システムとの相違点に着目して説明する。
【００５７】
第１に、図５を参照して、本変更例２に係る移動通信システムにおいて、ＵＥ＃１のＩＭＳ  Ｒｅｇｉｓｔｒａｔｉｏｎ手順について説明する。
【００５８】
図５に示すように、ステップＳ５００１において、ＵＥ＃１が、Ｐ-ＣＳＣＦ/ＶＡＴＦに対して、ＵＥ＃１がＳＲＶＣＣ方式に対応しているかについて示すＳＲＶＣＣ能力を含むＩＭＳ  Ｒｅｇｉｓｔｒａｔｉｏｎ要求信号を送信する。
【００５９】
ステップＳ５００２において、Ｐ-ＣＳＣＦ/ＶＡＴＦは、Ｉ/Ｓ-ＣＳＣＦに対して、かかるＳＲＶＣＣ能力を含むＩＭＳ  Ｒｅｇｉｓｔｒａｔｉｏｎ要求信号を送信する。
【００６０】
Ｉ/Ｓ-ＣＳＣＦは、ステップＳ５００３において、かかるＳＲＶＣＣ能力を保存し、ステップＳ５００４において、ＳＣＣ  ＡＳに対して、かかるＳＲＶＣＣ能力を含むＩＭＳ  Ｒｅｇｉｓｔｒａｔｉｏｎ要求信号を送信し、ステップＳ５００５において、ＳＣＣ  ＡＳが、Ｉ/Ｓ-ＣＳＣＦに対して、ＩＭＳ  Ｒｅｇｉｓｔｒａｔｉｏｎ応答信号を送信する。なお、ステップＳ５００４では、かかるＳＲＶＣＣ能力が通知されなくてもよい。
【００６１】
ステップＳ５００６において、Ｉ/Ｓ-ＣＳＣＦが、Ｐ-ＣＳＣＦ/ＶＡＴＦに対して、ＩＭＳ  Ｒｅｇｉｓｔｒａｔｉｏｎ応答信号を送信し、ステップＳ５００７において、Ｐ-ＣＳＣＦ/ＶＡＴＦが、ＵＥ＃１に対して、ＩＭＳ  Ｒｅｇｉｓｔｒａｔｉｏｎ応答信号を送信する。
【００６２】
第２に、図６を参照して、ＵＥ＃１とＵＥ＃２との間の音声通信用の経路を設定する手順について説明する。
【００６３】
図６に示すように、ステップＳ６００１において、ＵＥ＃１は、Ｐ-ＣＳＣＦ/ＶＡＴＦに対して、「ＩＮＶＩＴＥ」を送信する。
【００６４】
ステップＳ６００２において、Ｐ-ＣＳＣＦ/ＶＡＴＦは、Ｉ/Ｓ-ＣＳＣＦに対して、「ｅＳＲＶＣＣ」を含む「ＩＮＶＩＴＥ」を送信する。
【００６５】
Ｉ/Ｓ-ＣＳＣＦは、ステップＳ６００３において、ＨＳＳによって管理されているＵＥ＃１の加入者プロファイルや、ステップＳ３００２において保存したＳＲＶＣＣ能力や、ＵＥ＃１のホームネットワークや在圏ネットワークのポリシー等によって、ＳＲＶＣＣ改善方式を用いるべきか否かについて判定する。
【００６６】
以下、ステップＳ６００４乃至Ｓ６０１４の動作は、図２に示すステップＳ１００４乃至Ｓ１０１４の動作と同一である。
【００６７】
以上に述べた本実施形態の特徴は、以下のように表現されていてもよい。
【００６８】
本実施形態の第１の特徴は、Ｅ-ＵＴＲＡＮ（回線交換通信をサポートしていない第１無線アクセスネットワーク）と、ＵＴＲＡＮ/ＧＥＲＡＮ（回線交換通信をサポートしている第２無線アクセスネットワーク）とを具備しており、ＵＥ＃１（第１移動局）の在圏ネットワーク内のＭＧＷ＃１（所定ノード）において、ＵＥ＃１とＵＥ＃２との間の音声通信用の経路を、Ｅ-ＵＴＲＡＮを介した経路からＵＴＲＡＮ/ＧＥＲＡＮを介した経路に切り替えるＳＲＶＣＣ改善方式（切替方式）を用いることができる移動通信システムにおける移動通信方法であって、ＵＥ＃１が、ＵＥ＃１の在圏ネットワーク内のＰ-ＣＳＣＦ/ＶＡＴＦ（第１セッション制御ノード）に対して、ＳＲＶＣＣ能力（第１移動局の能力）を含む「ＩＮＶＩＴＥ（セッション開始要求信号）」を送信する工程と、Ｐ-ＣＳＣＦ/ＶＡＴＦが、ＩＭＳ（サービス制御ネットワーク）に対して、ＳＲＶＣＣ能力を含む「ＩＮＶＩＴＥ」を送信する工程と、ＩＭＳが、ＳＲＶＣＣ能力に基づいて、ＭＧＷ＃１の割り当て要求信号を送信するか否かについて決定する工程と、Ｐ-ＣＳＣＦ/ＶＡＴＦが、ＩＭＳから受信した割り当て要求信号に基づいて、ＭＧＷ＃１を割り当てる工程とを有することを要旨とする。
【００６９】
本実施形態の第２の特徴は、Ｅ-ＵＴＲＡＮと、ＵＴＲＡＮ/ＧＥＲＡＮとを具備しており、ＵＥ＃１の在圏ネットワーク内のＭＧＷ＃１において、ＵＥ＃１とＵＥ＃２との間の音声通信用の経路を、Ｅ-ＵＴＲＡＮを介した経路からＵＴＲＡＮ/ＧＥＲＡＮを介した経路に切り替えるＳＲＶＣＣ改善方式を用いることができる移動通信システムにおける移動通信方法であって、ＵＥ＃１が、ＩＭＳ  Ｒｅｇｉｓｔｒａｔｉｏｎ手順（サービス制御ネットワークに対する登録手順）において、Ｐ-ＣＳＣＦ/ＶＡＴＦに対して、ＳＲＶＣＣ能力を通知する工程と、ＵＥ＃１が、Ｐ-ＣＳＣＦ/ＶＡＴＦに対して、「ＩＮＶＩＴＥ」を送信する工程と、Ｐ-ＣＳＣＦ/ＶＡＴＦが、ＳＲＶＣＣ能力に基づいて、ＭＧＷ＃１を割り当てるか否かについて決定する工程とを有することを要旨とする。
【００７０】
本実施形態の第３の特徴は、Ｅ-ＵＴＲＡＮと、ＵＴＲＡＮ/ＧＥＲＡＮとを具備しており、ＵＥ＃１の在圏ネットワーク内のＭＧＷ＃１において、ＵＥ＃１とＵＥ＃２との間の音声通信用の経路を、Ｅ-ＵＴＲＡＮを介した経路からＵＴＲＡＮ/ＧＥＲＡＮを介した経路に切り替えるＳＲＶＣＣ改善方式を用いることができる移動通信システムにおける移動通信方法であって、ＵＥ＃１が、ＩＭＳ  Ｒｅｇｉｓｔｒａｔｉｏｎ手順において、ＩＭＳに対して、ＳＲＶＣＣ能力を通知する工程と、ＵＥ＃１が、Ｐ-ＣＳＣＦ/ＶＡＴＦに対して、「ＩＮＶＩＴＥ」を送信する工程と、Ｐ-ＣＳＣＦ/ＶＡＴＦが、ＩＭＳに対して、「ＩＮＶＩＴＥ」を送信する工程と、ＩＭＳが、ＳＲＶＣＣ能力に基づいて、ＭＧＷ＃１の割り当て要求信号を送信するか否かについて決定する工程と、Ｐ-ＣＳＣＦ/ＶＡＴＦが、ＩＭＳから受信した割り当て要求信号に基づいて、ＭＧＷ＃１を割り当てる工程とを有することを要旨とする。
【００７１】
本実施形態の第４の特徴は、Ｅ-ＵＴＲＡＮと、ＵＴＲＡＮ/ＧＥＲＡＮとを具備しており、ＵＥ＃１の在圏ネットワーク内のＭＧＷ＃１において、ＵＥ＃１とＵＥ＃２との間の音声通信用の経路を、Ｅ-ＵＴＲＡＮを介した経路からＵＴＲＡＮ/ＧＥＲＡＮを介した経路に切り替えるＳＲＶＣＣ改善方式を用いることができる移動通信システムであって、Ｐ-ＣＳＣＦ/ＶＡＴＦは、ＵＥ＃１から、ＳＲＶＣＣ能力を含む「ＩＮＶＩＴＥ」を受信した場合、ＩＭＳに対して、ＳＲＶＣＣ能力を含む「ＩＮＶＩＴＥ」を送信するように構成されており、ＩＭＳは、ＳＲＶＣＣ能力に基づいて、ＭＧＷ＃１の割り当て要求信号を送信するか否かについて決定するように構成されており、Ｐ-ＣＳＣＦ/ＶＡＴＦは、ＩＭＳから受信した割り当て要求信号に基づいて、ＭＧＷ＃１を割り当てるように構成されていることを要旨とする。
【００７２】
本実施形態の第５の特徴は、Ｅ-ＵＴＲＡＮと、ＵＴＲＡＮ/ＧＥＲＡＮとを具備しており、ＵＥ＃１の在圏ネットワーク内のＭＧＷ＃１において、ＵＥ＃１とＵＥ＃２との間の音声通信用の経路を、Ｅ-ＵＴＲＡＮを介した経路からＵＴＲＡＮ/ＧＥＲＡＮを介した経路に切り替えるＳＲＶＣＣ改善方式を用いることができる移動通信システムであって、Ｐ-ＣＳＣＦ/ＶＡＴＦは、ＵＥ＃１のＩＭＳ  Ｒｅｇｉｓｔｒａｔｉｏｎ手順において、ＳＲＶＣＣ能力を取得して保存するように構成されており、Ｐ-ＣＳＣＦ/ＶＡＴＦは、ＵＥ＃１から「ＩＮＶＩＴＥ」を受信した場合に、保存しているＳＲＶＣＣ能力に基づいて、ＭＧＷ＃１を割り当てるか否かについて決定するように構成されていることを要旨とする。
【００７３】
本実施形態の第６の特徴は、Ｅ-ＵＴＲＡＮと、ＵＴＲＡＮ/ＧＥＲＡＮとを具備しており、ＵＥ＃１の在圏ネットワーク内のＭＧＷ＃１において、ＵＥ＃１とＵＥ＃２との間の音声通信用の経路を、Ｅ-ＵＴＲＡＮを介した経路からＵＴＲＡＮ/ＧＥＲＡＮを介した経路に切り替えるＳＲＶＣＣ改善方式を用いることができる移動通信システムであって、ＩＭＳは、ＵＥ＃１のＩＭＳ  Ｒｅｇｉｓｔｒａｔｉｏｎ手順において、ＳＲＶＣＣ能力を取得して保存するように構成されており、ＩＭＳは、ＵＥ＃１によって送信された「ＩＮＶＩＴＥ」を受信した場合、保存しているＳＲＶＣＣ能力に基づいて、ＭＧＷ＃１の割り当て要求信号を送信するか否かについて決定するように構成されており、Ｐ-ＣＳＣＦ/ＶＡＴＦは、ＩＭＳから受信した割り当て要求信号に基づいて、ＭＧＷ＃１を割り当てるように構成されていることを要旨とする。
【００７４】
なお、上述のＭＳＣサーバ、ＭＧＷ＃１、ＭＧＷ＃２、ＭＭＥ、Ｓ-ＧＷ、Ｐ-ＧＷ、Ｐ-ＣＳＣＦ/ＶＡＴＦ、Ｉ/Ｓ-ＣＳＣＦ、ＳＣＣ  ＡＳ、ＳＧＳＮ、ＭＳＣ、ＵＥ＃１、ＵＥ＃２、ＲＮＣ、ＮｏｄｅＢ、ｅＮＢの動作は、ハードウェアによって実施されてもよいし、プロセッサによって実行されるソフトウェアモジュールによって実施されてもよいし、両者の組み合わせによって実施されてもよい。
【００７５】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００７６】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、ＭＳＣサーバ、ＭＧＷ＃１、ＭＧＷ＃２、ＭＭＥ、Ｓ-ＧＷ、Ｐ-ＧＷ、Ｐ-ＣＳＣＦ/ＶＡＴＦ、Ｉ/Ｓ-ＣＳＣＦ、ＳＣＣ  ＡＳ、ＳＧＳＮ、ＭＳＣ、ＵＥ＃１、ＵＥ＃２、ＲＮＣ、ＮｏｄｅＢ、ｅＮＢ内に設けられていてもよい。また、かかる記憶媒体及びプロセッサは、ディスクリートコンポーネントとしてＭＳＣサーバ、ＭＧＷ＃１、ＭＧＷ＃２、ＭＭＥ、Ｓ-ＧＷ、Ｐ-ＧＷ、Ｐ-ＣＳＣＦ/ＶＡＴＦ、Ｉ/Ｓ-ＣＳＣＦ、ＳＣＣ  ＡＳ、ＳＧＳＮ、ＭＳＣ、ＵＥ＃１、ＵＥ＃２、ＲＮＣ、ＮｏｄｅＢ、ｅＮＢ内に設けられていてもよい。
【００７７】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００７８】
ＵＥ＃１、ＵＥ＃２…移動局
ＭＭＥ…移動管理ノード
ＳＧＳＮ…パケット交換機
ＭＳＣ…回線交換機
Ｓ-ＧＷ、Ｐ-ＧＷ…ゲートウェイ装置
【図１】
0005626166.tif 000002
【図２】
0005626166.tif 000003
【図３】
0005626166.tif 000004
【図４】
0005626166.tif 000005
【図５】
0005626166.tif 000006
【図６】
0005626166.tif 000007
【図７】
0005626166.tif 000008